(57)【特許請求の範囲】
【請求項１】
装置本体に装着された交換部材である色彩情報を有する複数の容器と、前記色彩情報を有する容器の交換時期または交換時期が近いことを表示するための発光部を有し、
前記発光部は、前記装置本体に開閉自在に支持されて前記色彩情報を有する容器の上方に位置するカバーを、前記色彩情報を有する容器の交換や点検の際に開いたときに視認可能であるように１つの前記色彩情報を有する容器に対してそれぞれ１つ配置されるとともに、ブラケット部を介して前記装置本体側に取り付けられ、
前記複数のブラケットは前記複数の色彩情報を有する容器の配置のピッチと同一のピッチで設けられ、かつ前記ブラケットと発光部の上方に半透明の前記発光部の視認部を設けていることを特徴とする画像形成装置。
【請求項２】
請求項１記載の画像形成装置において、
前記色彩情報を有する容器は並列に設けられていることを特徴とする画像形成装置。
【請求項３】
請求項１または２記載の画像形成装置において、
前記色彩情報を有する容器が、透明、半透明であることを特徴とする画像形成装置。
【請求項４】
請求項３記載の画像形成装置において、
前記各色の色彩情報を有する容器が斜めに配置されていることを特徴とする画像形成装置。
【請求項５】
請求項３記載の画像形成装置において、
各色の色彩情報を有する容器にそれぞれ対応する像担持体を有し、
前記各色の色彩情報を有する容器と各像担持体とがそれぞれ並列一直線に配置されていることを特徴とする画像形成装置。
【請求項６】
請求項１ないし５の何れか１つに記載の画像形成装置において、
前記色彩情報を有する容器の状態に応じて、前記発光部を消灯、点滅あるいは点灯するように制御する制御手段を有することを特徴とする画像形成装置。
【発明の詳細な説明】
【技術分野】
【０００１】
本発明は、装置本体に装着された交換部材となる色彩情報を有する複数の容器の位置や交換時期等を装置利用者に知らせることが可能な画像形成装置に関する。
【背景技術】
【０００２】
複写機、プリンター、ファックシミリ、これら複数の機能を持った複合機、あるいは読み取った画像を保存する機能を持った複写機等の画像形成装置は、装置本体内部に、トナーボトルなどの色彩情報を有する複数の容器、作像カートリッジ等に代表される多種の交換部材が装着されている。このような交換部材の交換時期や点検時期は、装置本体に設けられた液晶表示装置などで構成された操作部に、その旨を知らせる表示を出して装置利用者に知らせている。
【発明の開示】
【発明が解決しようとする課題】
【０００３】
従来構成であると、交換時期や点検時期を装置利用者は知ることはできるが、装置のどの位置に対象となる部材があるのか不明である。また、表示される表示部と、交換や点検すべき部材とが離れた位置にあるので、交換や点検する際に作業者が迷ってしまうことがある。特に、カラー画像を形成する画像形成装置においては、カラー画像を形成するのに複数の色トナーを使用するので、交換部材や点検部材も使用するトナー色の数に対応して多くなり、交換や点検時に迷いが生じ易い傾向にある。また、交換部材は、装置の構成を熟知したサービスマンではなく、装置利用者であるユーザー自身が交換する機会も多く、より交換時や点検時の作業性の良さが求められている。
【０００４】
本発明は、交換や点検作業を確実かつスムーズに実施可能な画像形成装置を提供することを目的とする。
【課題を解決するための手段】
【０００５】
上記目的を達成するため、請求項１の発明では、装置本体に装着された交換部材である色彩情報を有する複数の容器と、色彩情報を有する容器の交換時期または交換時期が近いことを表示するための発光部を有し、発光部は装置本体に開閉自在に支持されて複数の色彩情報を有する容器の上方に位置するカバーを複数の色彩情報を有する容器の交換や点検の際に開いたときに視認可能であるように１つの前記色彩情報を有する容器に対してそれぞれ１つ配置されるとともに、発光部はブラケット部を介して装置本体側に取り付けられ、複数のブラケットは複数の複数の色彩情報を有する容器の配置のピッチと同一のピッチで設けられていることを特徴としている。
【０００６】
請求項２の発明では、複数の色彩情報を有する容器は並列に設けられていることを特徴とし、請求項３の発明では、複数の色彩情報を有する容器が、透明、半透明であることを特徴としている。
【０００７】
請求項４の発明では、請求項３記載の画像形成装置において、各色の複数の色彩情報を有する容器が斜めに配置されていることを特徴とし、請求項５の発明では、各色の前記複数の色彩情報を有する容器にそれぞれ対応する像担持体を有し、各色の前記複数の色彩情報を有する容器と各像担持体とがそれぞれ並列一直線に配置されていることを特徴としている。
【０００８】
請求項６の発明では、請求項１ないし５の何れか１つに記載の画像形成装置において、前記複数の色彩情報を有する容器の状態に応じて、発光部を消灯、点滅あるいは点灯するように制御する制御手段を有することを特徴としている。
【発明の効果】
【０００９】
本発明によれば、発光部のブラケットを、色彩情報を有する複数の容器のピッチと同一ピッチで設けることで、交換すべき部材の発光部の位置関係が対応し、より交換や点検すべき部材の位置を容易に知ることができ、交換や点検作業を確実かつスムーズに行える。
【発明を実施するための最良の形態】
【００１０】
以下、図面を用いて本発明の実施の形態を説明する。図１は、画像形成装置としてのカラープリンターの内部概略構成を示す。カラープリンターは、装置本体１の下部に記録材として用紙３を収納する給紙部となる給紙カセット２が配設されている。給紙カセット２内の用紙３は、給紙カセット２の近傍に配設された給紙コロ４と複数の搬送コロ５によって装置本体１内に搬送される。装置本体１内には、イエロー，マゼンタ，シアン，ブラックのトナー画像をそれぞれ形成する作像カートリッジ６Ｙ，６Ｍ，６Ｃ，６Ｂと、各作像カートリッジにより形成されたトナー画像が２次転写される中間転写体を構成する中間転写ベルト７、中間転写ベルト７に転写されたトナー画像を用紙３に転写する転写部８と、転写されたトナー画像を用紙３に定着する定着部９と、定着された用紙３を装置本体１の外部に搬送する排出コロ１０とを備えている。転写部８は、中間転写ベルト７と、このベルトに対向配置された転写部材としての転写ローラ８Ａとで構成されている。
【００１１】
給紙ローラ４および搬送コロ５によって装置本体１内に搬送される用紙１は、転写部８において中間転写ベルト７上に形成されたトナー画像が転写される。トナー画像が転写された用紙３は、定着部８を通過することで画像定着が行われ、装置本体１の上部に形成された排紙部１１に排出コロ１０によって排出される。
【００１２】
装置本体１は、図２、図３に示すように、その概観を樹脂製のケース１２で構成されている。このケース１２は、複数箇所に開閉可能なカバーが設けられている。装置正面側に位置する側面１Ａには、用紙３のジャム処理時や転写ローラ８Ａを交換する際に開閉するカバー１３が開閉自在に支持されている。装置本体１の左側面１Ｂには、各色のトナーに対応する画像を形成する像担持体としてのドラム状の感光体６０Ｂ，６０Ｃ，６０Ｍ，６０を備えた作像カートリッジ６Ｙ，６Ｍ，６Ｃ，６Ｂや中間転写ベルト７の交換時に開閉するカバー１４が開閉自在に支持されている。用紙３の補給は、カセット２を側面１Ａ側から引き出すことで行われる。排紙部１１を構成する装置本体１の上面１Ｃには、カバー１５が開閉自在に支持されている。装置本体１の前側上面１Ｄには、装置の操作部１６が設けられている。
【００１３】
各色のトナーに対応する画像を形成する作像カートリッジ６Ｂ，６Ｃ，６Ｍ，６Ｙ及び中間転写ベルト７は、それぞれ斜めに配置されている。
【００１４】
カラープリンターは、カラー画像を形成するのに必要な色のトナーである、黒，シアン，マゼンタ，イエローのトナーをそれぞれ収納した交換部材としてのトナー容器１２０Ｂ，１２０Ｃ，１２０Ｍ，１２０Ｙを設けたものである。トナー容器１２０Ｂとトナー容器１２０Ｃ及びトナー容器１２０Ｍとトナー容器１２０Ｙは、それぞれ紙面方向に互いに並列して配置されている。トナー容器１２０Ｂ，１２０Ｃとトナー容器１２０Ｍ，１２０Ｙは、互いに並列に一直線で傾斜して排紙部１１の下方に配置されている。
【００１５】
このように構成すると、装置本体１の正面から各トナー容器を見た時、各トナー容器が上下方向にずれて配置されるので、重なる箇所が少なくなり、広い範囲を視認することができ、交換すべきトナー容器を見つけることができ、交換や点検すべき部材の位置が判り易くなって交換や点検作業を確実かつスムーズに行える。また、このような斜め配置の装置であると、水平に直線状に配置する場合よりも装置の設置面積を抑えられ、装置の小型化を図ることができる。
【００１６】
図４に示すように、画像形成装置は、発光部２１と、発光部２１の光を装置本体１の外部から確認可能とする、カバー１５に形成された開口部２２とを備えている。図４では１つの発光部２１と開口部２２のみを示すが、実際には４つの発光部２１と開口部２２を備えている。発光部２１は、装置本体１内のフレーム２３にブラケット２４を介して取り付けられて、装置本体１側に装着されている。発光部２１としては、ＬＥＤや電球などが挙げられるが、照度の点からするとＬＥＤを用いるのが好ましい。
【００１７】
発光部２１を装置本体１側に設けているので、交換や点検の際にカバー１５を開いても、発光部２１が装置本体１側に残ることになり、交換すべき部材を容易に見つけることができる。カバー１５に開口部２２を備えているので、発光部２１からの熱を装置外部１に逃がす経路となり得るので放熱性がよくなる。
【００１８】
図５に示す形態では、開口部２２から突出して発光部２１を覆うキャップ部材２５を備えている。キャップ部材２５は、透明または半透明の半球状であって、フレーム２３にその端面を固定されることで開口部２２から装置本体１の外部に向かってその球状部を突出させている。
【００１９】
このような構成すると、装置本体１内への埃等の侵入を防げるとともに、発光部２１の光がカバー１５よりも上方で見ることができ、交換すべき部材を装置本体１の外部から視認することができ、交換や点検すべき部材の位置が判り易くなって交換や点検作業を確実かつスムーズに行える。キャップ部材２５は、装置本体１のフレーム２３に固定されて開口部２２に遊びを持って挿入されているので、カバー１５を開閉しても干渉することがない。
【００２０】
図６は、半球状で透明または半透明の突起２６をケース１２の上面１Ｃに形成している。このように形成すると、装置本体１の外側から交換や点検すべき部材の位置が判り易くなり、交換や点検作業を確実かつスムーズに行える。
【００２１】
上記形態においては、各キャップ部材２５、各突起２６は透明または半透明として発光部２１の光が装置本体１の外部に漏れるようにしたが、透明や半透明に限らず、交換部材の色と同色としたものであってもよい。例えば、マゼンタ色のトナーに関連する部材に対応させて各キャップ部材２５、各突起２６をそれぞれ形成する場合には、各キャップ部材２５、各突起２６はマゼンタ色に着色する。
【００２２】
このようにすると、交換すべき部材の位置と色とを色彩的に知ることができ、触覚的にも視認することができ、交換や点検すべき部材の位置がり判り易くなって交換や点検作業を確実かつスムーズに行える。交換部材の色と関連する形状に形成するのは、各開口部や各窓部に限定されるものではなく、図５，図６に示す各キャップ部材２５や各突部２６であっても良い。
【００２３】
上記形態において、各開口部は同一の面にだけ形成したが、図７に示すように、ケース１２の少なくとも２面、例えば上面１Ｃと側面１Ｂとにまたがるように設けてもよい。このように２面にまたがるように設けると、複数の方向から見えるので、装置本体１の外側から交換や点検すべき部材の位置を容易に知ることができ、交換や点検すべき部材の位置が判り易くなって交換や点検作業を確実かつスムーズに行える。
【００２４】
開口部２２としては、上記形態の他に、交換や補給の頻度によって透明度に差を付けても良いし、表面に種類を変えたシボ加工、窓部に相当する部分だけにシボ無しや異なるシボ加工等を施して、ケース１２から独立して目立つようにしてもよい。あるいは、各キャップ部材２５、各突部２６にそれぞれ対応する色のデカルを貼リ付けて、各部を交換部材の色と対応させる形態としてもよい。
【００２５】
次に、発光部２１の制御について説明する。発光部２１は、図８に示すように制御手段５０に接続されている。制御手段５０には、交換部材の状態を検出する各種センサ５１が接続されている。各種センサ５１としてはトナー量検知センサや給紙枚数をカウントするカウンター等が挙げられる。各種センサ５１は、トナーが無くなったことや、作像カートリッジや中間転写ベルト７の耐久時間に相関するパラメータとなるプリント枚数等をそれぞれ検出し、その信号を制御手段５０に出力している。
【００２６】
制御手段５０では、各種センサ５１からの出力があると、発光部２１を消灯、点滅あるいは点灯するように制御する。例えば、交換時期となった場合には、交換時期となった部材に対応する発光部２１を点灯あるいは点滅するように制御する。発光部２１を消灯するには、新たな交換部材に交換されると自動的に消灯する制御形態であっても良いし、制御手段５０に操作部１６を接続し、操作部１６を操作することで消灯するように制御しても良い。
【００２７】
あるいは、交換・補給時期が近づくにつれて、発光部２１の点滅速度を速めるように制御してもよい。
【００２８】
各トナー容器１２０と作像カートリッジ６Ｂ，６Ｃ，６Ｍ，６Ｙは、それぞれ水平一直線に配置さして、隣接するトナー容器の中心ピッチと隣接する感光体の中心ピッチがそれぞれ同一ピッチとされている。
【００２９】
このように、トナー容器と感光体のピッチを同一とすると、両者は対応する位置関係となり、交換すべき対象物やその場所を容易に認識することができ、交換や点検すべき部材の位置が判り易くなって交換や点検作業を確実かつスムーズに行える。この場合、各発光部２１も、感光体やトナー容器の配列と対応させて傾斜や水平に直線的に配置したり、同一のピッチに配置することで、交換部材との位置関係が密接なものとなる。このため、トナー容器のような容器構成が同一であって収納されているトナーの色やセット位置が異なる場合でも、色毎にセット位置を確認しなくてもよく、一色の補給動作を実施すれば他の色の補給動作もそのセット場所を容易に連想することができる。よって、交換や点検すべき対象物やその位置がより一層判り易くなって、交換や点検作業を確実かつスムーズに行えるとともに、誤った位置へのセットを防止して、装置や部材の破損を防止することができる。
【００３０】
上記の各形態において、画像形成装置としてフルカラー画像が形成可能なカラープリンターを例示したが、フルカラーコピーが可能な複写機やファクシミリ、あるいはこれらの複合機に本発明を適用しても上述の効果を得ることができる。
【図面の簡単な説明】
【００３１】
【図１】本発明の一形態であるカラープリンターの内部構成を示す概略図である。
【図２】図１に示すカラープリンターの概観を装置正面側から見た斜視図である。
【図３】図１に示すカラープリンターの概観を装置背面側から見た斜視図である
【図４】発光部の取付け構造を示す部分拡大断面図である。
【図５】発光部と開口部とキャップ部材の構成を示す部分拡大断面図である。
【図６】凸状に設けられた視認部を備えた表示部の構成を示す部分拡大断面図である。
【図７】本発明に係る制御手段とそれにつながる構成要素のブロック図である。
【符号の説明】
【００３２】
１    装置本体
１５    カバー
５０    制御手段
６０Ｂ〜６０Ｙ    像担持体
１２０Ｂ〜１２０Ｙ    交換部材
【図１】
0004496256.tif 000002
【図２】
0004496256.tif 000003
【図３】
0004496256.tif 000004
【図４】
0004496256.tif 000005
【図５】
0004496256.tif 000006
【図６】
0004496256.tif 000007
【図７】
0004496256.tif 000008